(57)【要約】【課題】ユーザーがセキュリティ情報をセキュリティネットワークの様々なシステムから効率的に受信および評価できるようにする、ポータブルコンポーネントを有するセキュリティシステムを提供する。【解決手段】ビデオ信号を生成するように構成されたカメラ１０４と、カメラに結合され、ビデオ信号を受信および監視するように構成された対象認識システム１０６と、対象認識システムおよびカメラに無線で結合されたポータブル・パーソナル・デジタルアシスタント（ＰＤＡ）１１２とを含む。ＰＤＡは、カメラからのビデオ、および／または、対象認識システムからの出力に応答してデータもしくはアラームを表示することができる。セキュリティ情報を提供する方法は、ライブビデオをＰＤＡ上で表示するステップと、対象認識システムの出力に応答して信号をＰＤＡ上に提供するステップとを含む。【選択図】図１
2005158063.tif 000002
【特許請求の範囲】
【請求項１】
ビデオ信号を生成するように構成されたカメラと、
前記カメラに結合され、前記ビデオ信号を受信するように構成された対象認識システムと、
前記対象認識システムおよび前記カメラに無線で結合されたポータブル・パーソナル・デジタルアシスタント（ＰＤＡ）と、
を含むセキュリティシステム。
【請求項２】
前記システムは、前記ビデオ信号を記録するためのビデオレコーダをさらに含む、請求項１に記載のセキュリティシステム。
【請求項３】
前記ビデオレコーダは前記ＰＤＡに無線で結合される、請求項２に記載のセキュリティシステム。
【請求項４】
前記ＰＤＡは、前記カメラからの前記ビデオ信号を表示するように構成されたビデオディスプレイを含む、請求項１に記載のセキュリティシステム。
【請求項５】
前記カメラは監視エリアに向けられ、前記対象認識システムは、対象が前記監視エリアに入ることに応答して、検出信号を与えるように構成されたコンピュータを含む、請求項１に記載のセキュリティシステム。
【請求項６】
前記システムは前記カメラからの前記ビデオ信号を受信するように構成され、かつ、前記検出信号に応答して前記ビデオ信号を記録し、記録されたビデオセグメントを作成するビデオレコーダをさらに含む、請求項５に記載のセキュリティシステム。
【請求項７】
対象認識システムはデータベースをさらに含み、前記データベースは、複数の識別された対象の各々に関連付けられた格納されたデータを含み、前記コンピュータはさらに、前記対象が前記監視エリアに入ることを表すデータを前記格納されたデータと比較するように構成される、請求項６に記載のセキュリティシステム。
【請求項８】
前記ビデオレコーダは、前記対象が前記監視エリアに入ることを表す前記データが、前記複数の識別された対象の少なくとも１つに関連付けられた前記格納されたデータに一致しない場合、前記記録されたビデオセグメントを廃棄するように構成される、請求項７に記載のセキュリティシステム。
【請求項９】
前記ビデオレコーダは、前記対象が前記監視エリアに入ることを表す前記データが、前記複数の識別された対象の少なくとも１つに関連付けられた前記格納されたデータに一致する場合、前記記録されたビデオセグメントを格納するように構成される、請求項７に記載のセキュリティシステム。
【請求項１０】
前記カメラは監視エリアに向けられ、前記対象認識システムは、対象が前記監視エリアに入ることを表すデータが、複数の識別された対象の少なくとも１つに関連付けられた格納されたデータに一致する場合、識別信号を前記ＰＤＡに与えるように構成される、請求項１に記載のセキュリティシステム。
【請求項１１】
前記ＰＤＡは、前記識別信号に応答してアラーム信号を与える、請求項１０に記載のセキュリティシステム。
【請求項１２】
前記システムはビデオレコーダをさらに含み、前記対象認識システムは、前記識別信号を前記ビデオレコーダに与えるように構成され、前記ビデオレコーダは前記識別信号に応答して、記録されたビデオを前記ＰＤＡに与える、請求項１０に記載のシステム。
【請求項１３】
前記システムは、前記ＰＤＡとの無線通信のために前記ネットワークに結合された、少なくとも１つの周辺デバイスをさらに含む、請求項１に記載のシステム。
【請求項１４】
前記周辺デバイスはアクセスコントロールシステムを含む、請求項１３に記載のシステム。
【請求項１５】
前記周辺デバイスは金属探知器を含む、請求項１３に記載のシステム。
【請求項１６】
前記周辺デバイスはアラームを含む、請求項１３に記載のシステム。
【請求項１７】
前記ＰＤＡは少なくとも１つのデータ収集デバイスを含む、請求項１に記載のシステム。
【請求項１８】
前記データ収集デバイスはバーコードスキャナを含む、請求項１７に記載のシステム。
【請求項１９】
前記データ収集デバイスはデジタルカメラを含む、請求項１７に記載のシステム。
【請求項２０】
前記データ収集デバイスは近接型カード検出器を含む、請求項１７に記載のシステム。
【請求項２１】
監視エリアのライブビデオを生成するステップと、
前記ライブビデオを、無線接続を介してポータブル・パーソナル・デジタルアシスタント（ＰＤＡ）に通信するステップと、
前記ライブビデオを前記ＰＤＡ上で表示するステップと、
を含むセキュリティ情報を提供する方法。
【請求項２２】
前記監視エリアへの対象の進入を検出するステップと、
前記監視エリアへの前記対象の前記進入の指示を、前記ＰＤＡに提供するステップとをさらに含む、請求項２１に記載の方法。
【請求項２３】
対象が前記監視エリアに入ることを表すデータを、格納されたデータと比較するステップと、
前記比較するステップに応答して、信号を前記ＰＤＡに提供するステップとをさらに含む、請求項２１に記載の方法。
【請求項２４】
前記監視エリアへの対象の進入を検出するステップと、
前記監視エリアへの前記対象の進入に応答して前記ライブビデオを記録して、記録されたビデオセグメントを作成するステップとをさらに含む、請求項２１に記載の方法。
【請求項２５】
前記記録されたビデオセグメントを前記ＰＤＡ上で表示するステップをさらに含む、請求項２４に記載の方法。
【請求項２６】
前記ＰＤＡ上の前記ライブビデオの前記表示を停止するステップをさらに含む、請求項２５に記載の方法。
【請求項２７】
前記対象を表すデータを、格納されたデータと比較するステップをさらに含む、請求項２４に記載の方法。
【請求項２８】
前記比較するステップに応答して、前記記録されたビデオセグメントを廃棄するステップをさらに含む、請求項２７に記載の方法。
【請求項２９】
前記比較するステップに応答して、前記記録されたビデオを保存するステップをさらに含む、請求項２７に記載の方法。
【請求項３０】
前記対象に関連付けられたデータを前記ＰＤＡに提供するステップをさらに含む、請求項２７に記載の方法。
【請求項３１】
前記データは、前記対象を表すイメージファイルを含む、請求項３０に記載の方法。
【請求項３２】
前記対象は人間を含む、請求項３１に記載の方法。
【請求項３３】
カメラを操作して、対象のイメージを取り込むステップと、
前記対象を表すデータを、格納されたデータと比較するステップと、
前記比較するステップに応答して、信号をポータブル・パーソナル・デジタルアシスタント（ＰＤＡ）に提供するステップと、
を含むセキュリティ情報を提供する方法。
【請求項３４】
前記イメージはビデオイメージを含む、請求項３３に記載の方法。
【請求項３５】
前記イメージを前記ＰＤＡ上に表示するステップをさらに含む、請求項３３に記載の方法。
【請求項３６】
前記信号はアラーム信号を含む、請求項３３に記載の方法。
【請求項３７】
監視エリアへの前記対象の進入を検出するステップと、
前記監視エリアへの前記対象の前記進入の指示を、前記ＰＤＡで提供するステップとをさらに含む、請求項３３に記載の方法。
【請求項３８】
前記検出するステップに応答して前記ライブビデオを記録して、記録されたビデオセグメントを作成するステップをさらに含む、請求項３７に記載の方法。
【請求項３９】
前記比較するステップに応答して、前記記録されたビデオセグメントを廃棄するステップをさらに含む、請求項３８に記載の方法。
【請求項４０】
前記比較するステップに応答して、前記記録されたビデオを保存するステップをさらに含む、請求項３８に記載の方法。
【請求項４１】
前記信号は、前記対象に関連付けられたデータを含む、請求項３３に記載の方法。
【請求項４２】
前記データは、前記対象を表すイメージファイルを含む、請求項４１に記載の方法。
【請求項４３】
前記対象は人間を含む、請求項３３に記載の方法。
【発明の詳細な説明】
【技術分野】
【０００１】
本発明はセキュリティシステムに関し、詳細には、セキュリティデータにアクセスするためのポータブルコンポーネントを含む、セキュリティシステムに関する。
【背景技術】
【０００２】
知られているセキュリティシステムでは、様々なセキュリティデータを中央監視位置へ様々なセキュリティデバイスから通信することができる。このようなセキュリティデータへのアクセスを望むセキュリティ担当者は、このデータに中央位置からアクセスしなければならない。これにより、セキュリティ担当者が自分で事件を調査すること、および、様々な発生の通知を適時に受けることが妨げられる。例えば、セキュリティカメラからのライブまたは記録されたビデオを見ることを望むセキュリティ担当者は、中央監視位置でそれを行わなければならない。
【発明の開示】
【発明が解決しようとする課題】
【０００３】
したがって、ユーザーがセキュリティ情報をセキュリティネットワークの様々なシステムから効率的に受信および評価できるようにする、ポータブルコンポーネントを有するセキュリティシステムの必要性がある。
【課題を解決するための手段】
【０００４】
本発明の一態様によれば、セキュリティシステムが提供され、このセキュリティシステムは、ビデオ信号を生成するように構成されたカメラと、カメラに結合され、ビデオ信号を受信するように構成された対象認識システムと、対象認識システムおよびカメラに無線で結合されたポータブル・パーソナル・デジタルアシスタンス（ＰＤＡ）とを含む。ＰＤＡは、カメラからのビデオ、および／または、対象認識システムからの出力に応答してデータもしくはアラームを表示することができる。
【０００５】
本発明のもう１つの態様によれば、セキュリティ情報を提供する方法が提供される。この方法は、監視エリアのライブビデオを生成するステップと、ライブビデオを、無線接続を介してポータブル・パーソナル・デジタルアシスタンス（ＰＤＡ）に通信するステップと、ライブビデオをＰＤＡ上で表示するステップとを含む。本発明のさらにもう１つの態様によれば、セキュリティ情報を提供する方法が提供され、この方法は、カメラを操作して、対象のイメージを取り込むステップと、対象を表すデータを、格納されたデータと比較するステップと、比較するステップに応答して、信号をポータブル・パーソナル・デジタルアシスタンス（ＰＤＡ）に提供するステップとを含む。
【０００６】
本発明を、他の目的、特徴および利点と共に、よりよく理解するために、以下の詳細な説明が参照されるべきであり、この詳細な説明は以下の図と共に読まれるべきであり、図においては類似の番号は類似の部分を表す。
【発明を実施するための最良の形態】
【０００７】
説明を簡単かつ容易にするため、本発明を本明細書でその様々な例示的実施形態に関して説明する。しかし、本発明の特徴および利点を様々な構成で実施することができることは、当業者には理解されよう。したがって、本明細書で説明する実施形態は、限定ではなく例示のために提示されることを理解されたい。
【０００８】
図１は、本発明と一致した例示的セキュリティシステム１００のブロック図である。全体的に、セキュリティシステム１００は、アクセスポイント１１４を通じてネットワーク１１７に無線接続された、ポータブル・パーソナル・デジタルアシスタンス（ＰＤＡ）１１２を含むことができる。ネットワーク１１７は様々なコンポーネントおよびシステムを含むことができ、これらのコンポーネントおよびシステムには、それだけに限定されないが、カメラ１０４、対象認識システム１０６、ビデオレコーダ１０８および他の周辺デバイス１４０、例えば、アクセスコントロールシステム、金属検知器、アラームなどが含まれ、これらはＰＤＡ１１２と、本明細書でさらに詳述するように通信する。ポータブルＰＤＡ１１２をネットワーク１１７に様々な方法で無線接続することができ、これらの方法は例えば、複数のアンテナの間の電磁信号の通信を通じて行うこと、赤外線リンクによることなどであることは、当業者には理解されよう。一実施形態では、ＰＤＡ１１２上のアンテナ１７８は、無線トランシーバとして機能するアクセスポイント１１４のアンテナ１８０から、データを送信および受信することができる。
【０００９】
カメラ１０４は、監視エリア１１０のビデオを撮影する。監視エリア１１０を、小売店の出口／入口、レジの周囲のエリア、保護された資産の周囲のエリアなどにすることができる。カメラ１０４を固定の方向に向けることができ、あるいはカメラ位置コントローラ１３２をカメラ１０４に、カメラのパン・チルト・ズームを調整するために、かつ／または、カメラを様々な視角に位置付けるために、結合することができる。カメラ位置コントローラ１３２はまた、ＰＤＡ１１２からのコントロール信号に応答して、ＰＤＡのユーザーがカメラ１０４のパン・チルト・ズームを望むように調整できるようにすることもできる。カメラ１０４からのライブビデオを、パス１２７を介して対象認識システムへ、また、パス１２９を介してビデオレコーダ１０８へ通信することができる。カメラ１０４からのライブビデオを対象認識システム１０６およびビデオレコーダ１０８へ様々な方法で、例えば、ネットワークケーブルまたは無線接続を通じて通信することができることは、当業者には理解されよう。
【００１０】
対象認識システム１０６は、いかなる様々な対象が監視エリア１１０に入ることをも認識するように構成される。全体的に、対象認識システム１０６はライブビデオをカメラ１０４から受信し、ビデオを解析して、対象が監視エリア１１０に入ったかどうかを検出することができる。対象認識システムは、検出された対象を表すデータを、複数の既知の対象を表すデータと比較して、受け入れ可能な相関が存在するか否かを確認することができる。対象認識システム１０６が、カメラ１０４からのライブビデオを解析するための様々な知られている構成において提供されたコンピュータ１１６を含むことができることは、当業者には理解されよう。
【００１１】
ビデオレコーダ１０８は、デジタルビデオレコーダなど、様々な知られているビデオレコーダのいずれにすることもできる。ビデオレコーダ１０８はまた、カメラ１０４からのライブビデオの記録されたビデオセグメントを格納するための内部メモリ１８２も有することができ、これを本明細書でさらに詳述する。
【００１２】
例示された例示的実施形態では、ＰＤＡ１１２は、様々な知られているコンポーネントを有する、ポータブルなハンドヘルド・コンピューティング・デバイスである。図２は、本発明と一致した例示的ポータブルＰＤＡ１１２のブロック図である。全体的に、ＰＤＡ１１２は、プロセッサ２０２、電源２０４（例えば、充電式電池）、ユーザー入力デバイス２０６（例えば、ユーザー入力ボタン、キーボード、タッチスクリーンなど）、ビデオ表示画面２０８（例えば、タッチスクリーンをも含むＬＣＤディスプレイ）、機械可読媒体２１０、オーディオデバイス２１２、およびデータ収集デバイス２２２（例えば、バーコードスキャナ、デジタルカメラ、近接型カード検出器など）を含むことができる。
【００１３】
プロセッサ２０２は、本発明の実施形態によって必要とされた速度および機能性を提供することができる、いかなるタイプのプロセッサにすることもできる。例えば、プロセッサ２０２を、Ｉｎｔｅｌ  Ｃｏｒｐｏｒａｔｉｏｎによって製造されたプロセッサのＰｅｎｔｉｕｍ（登録商標）ファミリー、または、Ｍｏｔｏｒｏｌａによって製造されたプロセッサのファミリーからのプロセッサにすることができる。機械可読媒体２１０には、プロセッサによって実行されるように適合された命令を格納することができる、いかなる媒体もが含まれる。このような媒体のいくつかの例には、それだけに限定されないが、読み取り専用メモリ（ＲＯＭ）、ランダムアクセスメモリ（ＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、ダイナミックＲＡＭ（ＤＲＡＭ）、および、デジタル情報を格納することができるいかなる他のデバイスもが含まれる。命令を媒体上に、圧縮および／または暗号化されたフォーマットで格納することができる。
【００１４】
ＰＤＡ１１２は、ネットワーク１１７の他のコンポーネントとの無線通信のために装備される。このような無線通信は、当業者に知られている様々な方法で行うことができる。例えば、このような通信は、複数のアンテナの間の電磁信号の通信を通じて行うことができる。この場合、ＰＤＡ１１２はアンテナ１７８およびトランシーバ２１６を有する可能性がある。ＰＤＡはまた赤外線ポート２１８を、赤外線リンクを介した通信のために有することもできる。
【００１５】
ＰＤＡ１１２は、ネットワーク１１７との無線インタフェースを介した双方向通信のために構成されるので有利である。１つの例示的なオペレーションの形態では、監視エリア１１０のライブビデオが対象認識システム１０６のコンピュータ１１６に提供される。コンピュータ１１６はこのライブビデオを解析して、対象、例えば、ある人物が監視エリア１１０に入ったかどうかを検出する。対象が検出される場合、対象認識システム１０６は検出信号を提供する。検出信号に応答して、ビデオレコーダ１０８はカメラからのライブビデオを所定の時間間隔に渡って記録して、記録されたビデオセグメントを作成することを開始することができる。
【００１６】
コンピュータ１１６は、検出された対象のデジタル表現、例えば、人物の顔のデジタル表現を、識別済または既知の対象の複数の格納されたデジタル表現と比較することができる。識別済または既知の対象のデータベースを、ネットワークを通じてアクセス可能なメモリ内、例えば、対象認識システムのローカルのメモリ内に格納することができる。検出された対象と格納された対象の間で適切な相関が作成される場合、対象認識システム１０６は識別信号をビデオレコーダ１０８およびＰＤＡ１１２に提供することができる。
【００１７】
識別信号に応答して、ＰＤＡ１１２はアラーム信号を、例えば、オーディオデバイス２１２および／またはビデオディスプレイ２０８を介して提供して、ＰＤＡ１１２のユーザーに、対象認識システムが対象を識別したことをアラートすることができる。また、ビデオレコーダ１０８は、記録されたビデオセグメントを、例えば、ビデオレコーダのメモリ１８２内に保存することができる。そうでない場合、対象認識システムが、検出された対象を格納された対象と相関させなかった場合、ビデオレコーダ１０８は、記録されたビデオセグメントを削除することができる。加えて、ＰＤＡ１１２のユーザーは様々なユーザー入力デバイス２０６を利用して、コマンド信号をビデオレコーダ１０８へ、記録されたビデオセグメントの検索のために提供することができる。
【００１８】
例えば、対象認識システム１０６が顔認識システムであるとき、システム１０６は、カメラ１０４によって提供されたライブビデオから識別された１つまたは複数の顔のデジタル表現を確立することができる。検出された人物の顔のこのようなデジタル表現を、当技術分野で知られている様々な方法で開発することができ、例えば、目の間の距離、鼻の幅など、人物の顔の特徴における様々な点および距離を解析することによって行う。コンピュータ１１６は、検出された顔のデジタル表現を、コンピュータ１１６のデータベースに格納された既知の人物からの様々なデジタル表現と比較することができる。検出された顔のイメージと格納された顔のイメージの間で、受け入れ可能な相関がコンピュータ１１６によって作成される場合、顔認識システムはビデオレコーダ１０８およびＰＤＡ１１２に通知することができる。次いで、顔認識システムは、検出された人物に関連付けられたデータをＰＤＡ１１２に提供することができ、このデータは例えば、その人物のイメージファイル、および／または、検出された人物に関係する様々な他のデータである。
【００１９】
ＰＤＡ１１２を使用するセキュリティ担当者は、コマンド信号をビデオレコーダ１０８へ、いかなる様々な入力デバイス２０６を使用して提供することもでき、これは入力ボタン、または、ＰＤＡ１１２のタッチスクリーン部のコントロールエリア３０２（図３）などを介して行う。応答において、ビデオレコーダ１０８は、その特定の対象について、例えば特定の人物について記録されたビデオセグメントを提供することができる。このような記録されたビデオセグメントを、ＰＤＡ１１２のビデオ表示画面のビデオエリア３０４で再生することができる。
【００２０】
このように、セキュリティ担当者は、ＰＤＡを介して、監視エリアに入る対象についてのデータへの効率的なアクセスを有することができる。加えて、セキュリティ担当者は、監視エリアのＰＤＡ上のライブビデオ、および／または、対象が監視エリアに入ったときの対象の記録されたビデオセグメントを見直すことができる。既知の対象に関係するデータ、例えば、既知の人物のイメージファイル、および／または、その人物に関係する関連データを、対象認識システム１０６によってＰＤＡ１１２に提供し、表示画面のデータ部３０６で表示することができる。これによりセキュリティ担当者は、行動計画を決定するために情報を効率的に使用可能にすることができ、これらの行動計画は例えば、潜在的に脅威となる人物に付加的に警戒すること、特定の人物に特別な便宜を図ることなどである。
【００２１】
様々な周辺デバイス１４０をネットワーク１１７上で、ＰＤＡ１１２との無線接続のために結合することができることは、当業者には理解されよう。例えば、周辺デバイス１４０にはアクセスコントロールシステムが含まれる可能性がある。カメラ１０４は、安全なエリアの外側の入口に向けられる場合がある。アクセスコントロールシステムは、ある対象が対象認識システムによって認識された後、安全なエリアに入ることを自動的に許可することができる。許可された対象が安全なエリアに入った場合、ＰＤＡは対象認識システムによって通知を受けることができ、また、無許可の対象が安全なエリアへの進入を試みた場合にも通知を受けることができる。ＰＤＡは、このような場合に、関連付けられたアラーム信号によりＰＤＡのユーザーに通知することができる。
【００２２】
対象認識システムが顔認識システムであるとき、このようなアクセスコントロールシステムを使用して、許可された人物を識別することができる。許可された人物が識別される場合、システムのアクチュエーターをトリガーして、保護された入口を開錠することができ、したがって、許可された人物にアクセスを許可することができる。加えて、信号をＰＤＡに送信して、ＰＤＡのユーザーに、安全なエリアに入った特定の人物の識別を通知することができる。顔のイメージが顔認識システムによって認識されないか、あるいは、無許可の人員に関連付けられるとして認識される場合、保護された入口を鍵のかかった位置で維持することによって、保護されたエリアへのアクセスを拒否することができる。次いで、ＰＤＡはユーザーに、このような場合に特殊なアラーム信号により通知することができる。ビデオレコーダをまた、安全なエリアに入ろうして失敗したいかなる試みの記録されたビデオセグメントをも保存するように構成することもできる。次いで、ＰＤＡのユーザーはまた、安全なエリアに入ろうして失敗した試みの記録されたビデオセグメントを見直して、ある場合は何の処置が必要とされるかを決定することもできる。
【００２３】
ネットワーク１１７に結合することができるもう１つの周辺デバイス１４０は、金属検知器である。金属検知器は、隠された金属、例えば、隠された金属製の武器を携行するいかなる人物をも求めて、安全なエリアへのアクセスを監視することができる。金属検知器が作動される場合、アラームが作動される場合がある。この場合、金属検知器のアラームがトリガーされたことを指示する信号をＰＤＡに提供することもできる。加えて、ある人物がまさに金属検知器に入ろうとすることを指示する検出信号を、ビデオレコーダに送信することができる。応答において、ビデオレコーダはカメラからのライブビデオを記録することを開始することができる。金属検知器がトリガーされない場合、記録されたビデオセグメントまたはそのある部分を消去または廃棄することができる。金属検知器がトリガーされる場合、記録されたビデオセグメントを保存することができる。したがって、ＰＤＡのユーザーはビデオレコーダに、特定の金属検知に関連付けられた記録されたビデオセグメントを提供するように命令して、被写体が金属検知前および金属検知中にどのように行動していたかを、ユーザーが見直すことができるようにすることができる。
【００２４】
ネットワーク１１７に結合することができるさらに他の周辺デバイス１４０には、いかなる様々なビルのセンサーもが含まれ、これらのセンサーは、盗難警報器、火災報知器、煙感知器などである。これらのデバイスはＰＤＡのユーザーに、潜在的に危険な状況の即時指示を提供することができる。
【００２５】
ＰＤＡ１１２はまた、追加の機能性をサポートするために様々なデータ収集デバイス２２２も装備する。データ収集デバイス２２２には、例えば、ハンドヘルドのポータブルバーコードスキャナが含まれる可能性がある。バーコードスキャナは、ペンタイプ、ＣＣＤ、レーザーまたはカメラベースのシステムなど、様々な知られている構成で提供することができる。ユーザーは、複合ＰＤＡ／バーコードスキャナを使用して、人々および商品を追跡することができる。ユーザーは、複合ポータブルＰＤＡ／バーコードスキャナを使用して、品目のバーコードをスキャンし、バーコードを表す信号をネットワーク１１７上のプロセッサに送信することができる。送信された信号に応答して、スキャンされた品目に関係する資産情報に、例えばデータベースからアクセスすることができ、このような資産情報を、複合ポータブルＰＤＡ／バーコードスキャナに送信して戻すことができる。
【００２６】
もう１つの実施例では、データ収集デバイス２２２には、知られている近接型カード検出器が含まれる場合がある。近接型カード検出器は、セキュリティバッジを検証するために使用することができる。加えて、データ収集デバイス２２２には、対象、例えば人物のイメージを取り込むための小型デジタルカメラが含まれる可能性がある。取り込まれたイメージをＰＤＡによって対象認識システムに送信することができ、これは、その人物に関係するデータを獲得して、例えばその人物がそのエリア内に入ることを許可されることを確認するためである。
【００２７】
加えて、対象認識システムが顔認識システムである場合、既知の人物を様々なカテゴリーにグループ化することができる。例えば、人物を、望ましいカテゴリーおよび望ましくないカテゴリーにグループ化することができる。認識された人物が望ましい人物である場合、ＰＤＡのユーザーはそういうものとして通知を受ける。この場合、次いでこの望ましい人物に特別な便宜を図ることができる。対照的に、認識された人物が望ましくない人物である場合、ＰＤＡのユーザーはそういうものとして通知を受ける。次いで、ユーザーは、このような人物の記録されたビデオセグメントを見直すことによって、この人物の行動を見直すことができる。次いで、このような場合、この人物の識別およびその行動に応じて、セキュリティ担当者によって適切な処置を取ることができる。
【００２８】
このとき図４Ａを見ると、本発明と一致したＰＤＡ１１２のオペレーションの例示的方法の流れ図４００が例示される。本明細書で様々な実施形態を説明するために使用された流れ図には、特定の順序のステップが含まれる。しかし、ステップの順序は単に、本明細書で説明する全体的な機能性をどのように実装することができるかの一実施例を提供するだけであることは理解されよう。さらに、ステップの各順序は、特に断らない限り、提示された順序で実行されなくてもよい。
【００２９】
ステップ４０２で、ＰＤＡ１１２は、カメラ１０４によって撮影されたライブビデオを受信および表示する。このようなライブビデオを、ＰＤＡ１１２のビデオディスプレイのビデオエリア３０４に表示することができる。ライブビデオの表示中に、ステップ４０４でＰＤＡは、対象認識システム（ＯＲＳ）からの、監視エリア１１０に入った対象が既知の対象と十分に相関されるとして認識または識別されたことを指示する識別信号を待機する。ステップ４０６で、このような識別信号が対象認識システムから送信されない場合、ＰＤＡはライブビデオを表示し続け、対象認識システムからのこのような識別信号を待機する。
【００３０】
認識された対象を指示する識別信号が対象認識システムから受信される場合、ＰＤＡは、既知の対象に関連付けられたデータを受信し、このようなデータをビデオディスプレイのデータエリア３０６に表示することができる。例えば、対象認識システムが顔識別システムであるとき、データには既知の人物の顔のイメージファイルが含まれる可能性がある。アラーム信号もまたＰＤＡによって、対象認識システムからの識別信号に応答して提供して、ＰＤＡのユーザーに、既知の対象が認識されたことを信号で知らせることができる。アラーム信号を、当技術分野で知られている様々な方法で出力することができ、これらの方法には、オーディオデバイス２１２による可聴アラーム出力、ビデオ表示画面２０８による視覚的アラーム出力、モーションアラーム（例えば、ＰＤＡの一部の振動）などが含まれる。次いで、ＰＤＡのオペレーションはサイクルして戻り、別の識別信号を待機することができる。
【００３１】
図４Ｂは、ＰＤＡ１１２のオペレーションのもう１つの例示的方法を例示する流れ図４５０である。ステップ４０２で、ＰＤＡ１１２は、カメラ１０４によって撮影されたライブビデオを受信および表示する。ステップ４１２で、ＰＤＡのユーザーによって促されるとき、ＰＤＡは再生要求をビデオレコーダ１０８に送信することができ、これは例えば、ビデオ画面のコントロールエリア３０２を利用することによって行う。次いで、ビデオレコーダ１０８は適切な再生ビデオセグメントを検索し、これをＰＤＡ１１２に提供する。再生ビデオセグメントが到着した場合、４１６でＰＤＡはライブビデオのプレイを停止し、その代わりに４１８で再生ビデオを表示画面のビデオエリア３０４に表示することができる。４２０で再生ビデオストリームが終了される場合、４２２でライブビデオを表示することができ、ＰＤＡは別の再生要求を待機する。別法として、表示画面のビデオエリア３０４を２つの別々のエリアに解析して、ライブビデオおよび再生ビデオの両方の表示を可能にすることができる。したがって、ライブビデオの開始および停止は必要ではなくなる。
【００３２】
図５を見ると、例示的対象認識システム１０６のオペレーションを例示する流れ図５００が例示される。ステップ５０４で、対象認識システムはライブビデオを監視する。対象が検出される場合、ステップ５０８で、対象認識システムは検出信号をビデオレコーダに送信する。検出信号を様々な方法で、様々な伝送媒体のいずれを介しても送信することができる。このような伝送媒体には、対象認識システム１０６とビデオレコーダ１０８の間のハードワイヤー接続１５２、または、複数のシステムの間の無線ネットワーク接続が含まれる可能性がある。対象が検出されない場合、システムはライブビデオを監視し続ける。
【００３３】
対象が検出された後、システムは、検出された対象を表すデータを、既知の対象を表す格納されたデータと比較する。ステップ５１０で、検出された対象が既知の対象と相関されない場合、対象認識システムはライブビデオを監視し続ける。検出された対象が既知の対象と相関される場合、ステップ５１２で対象認識システムは識別信号をＰＤＡ１１２およびビデオレコーダ１０８に送信する。加えて、対象認識システムは、識別された対象に関係するデータ、例えば、対象認識システムが顔認識システムであるときには人物の顔のイメージファイルを、ＰＤＡ１１２に送信することができる。
【００３４】
図６を見ると、ビデオレコーダ１０８の例示的操作方法を例示する流れ図６００が例示される。ステップ６０２でプロセスが開始するとき、ステップ６０４でビデオレコーダ１０８は、対象認識システムからの信号、例えば検出信号を待機する。検出信号は、対象認識システム１０６が監視エリア１１０内で対象を検出することを示すことができる。検出信号が受信されない場合、ステップ６０４のように、ビデオレコーダはこのような信号を待機し続ける。検出信号が受信される場合、ステップ６０８でビデオレコーダは、例えばカメラ１０４からのライブビデオを所定の時間間隔に渡って記録して、記録されたビデオセグメントを作成することを開始する。
【００３５】
その間に、対象認識システムは既知の対象を、検出された対象に対して比較して、いずれかの相関があるかどうかを判断することができる。ビデオレコーダが対象認識システムから、対象認識システムが対象を識別すること、例えば、検出された対象を既知の対象と十分に相関させることを示す識別信号を受信する場合、ステップ６１４で、ビデオレコーダは記録されたビデオセグメントを保存する。そうでない場合、対象認識システムが対象を識別することができない場合、６１２でビデオレコーダは、記録されたビデオセグメントを消去または廃棄する（例えば、保存しない）ことができる。最後にステップ６１６で、特定の記録されたビデオセグメントの再生がＰＤＡによって要求される場合、ステップ６１８で、ビデオレコーダは要求された記録されたビデオセグメントを検索し、ＰＤＡに送信することができる。
【００３６】
対象が対象認識システムによって識別されないときにビデオデータを消去することにより、結果として有効なデータストレージとなるが、場合によっては、格納された情報が特定のインシデントの調査のために十分である結果とならない可能性がある。したがって、ビデオレコーダを、継続的にビデオを格納するように、かつ、対象認識システム内で一致が発生するときのタイムスタンプを格納するように構成することができる。一致に関連付けられたビデオを検索することが望まれるとき、格納されたタイムスタンプを、記録されたビデオデータの連続ストリームへのインデックスとして使用して、このビデオにアクセスすることができる。ＰＤＡ上でのビデオの正確な表現の表示を容易にするために、タイムスタンプがＰＤＡのクロックに（あるいはその逆に）同期化されるべきである。
【００３７】
このように、ネットワークに無線接続されたＰＤＡを有して、ＰＤＡのユーザーに、ネットワークの様々なコンポーネントおよびシステムの十分なアクセスおよびコントロールを提供する、セキュリティシステムが提供される。しかし、本明細書で説明した実施形態は、本発明を利用するいくつかのものの一部であり、限定ではなく例示として本明細書で示される。当業者に容易に明らかになるであろう多数の他の実施形態を、付属の特許請求の範囲で定義されたような本発明の精神および範囲から著しく逸脱することなく、作成することができることは、明らかである。
【図面の簡単な説明】
【００３８】
【図１】本発明と一致した例示的セキュリティシステムであり、ビデオレコーダおよび対象認識システムを有するネットワークに無線接続された、ポータブル携帯情報端末（ＰＤＡ）を有するシステムのブロック図である。
【図２】図１のＰＤＡのブロック図である。
【図３】図１のＰＤＡの平面図であり、ＰＤＡの例示的出力ビデオ画面の例示的コントロール、データおよびビデオエリアを例示する図である。
【図４Ａ】図１のＰＤＡのオペレーションの例示的方法の流れ図である。
【図４Ｂ】図１のＰＤＡのオペレーションの例示的方法の流れ図である。
【図５】図１の対象認識システムのオペレーションの例示的方法の流れ図である。
【図６】図１のビデオレコーダのオペレーションの例示的方法の流れ図である。
【符号の説明】
【００３９】
１００  セキュリティシステム
１０４  カメラ
１０６  対象認識システム
１０８  ビデオレコーダ
１１０  監視エリア
１１２  ポータブル・パーソナル・デジタルアシスタント（ＰＤＡ）
１１４  アクセスポイント
１１６  コンピュータ
１１７  ネットワーク
１３２  カメラ位置コントローラ
１４０  周辺デバイス
１８２  内部メモリ
【図１】
2005158063.tif 000003
【図２】
2005158063.tif 000004
【図３】
2005158063.tif 000005
【図４Ａ】
2005158063.tif 000006
【図４Ｂ】
2005158063.tif 000007
【図５】
2005158063.tif 000008
【図６】
2005158063.tif 000009